(57)【要約】【課題】トラクタ等の走行機の後方に装着されて草刈作業を行なう草刈作業機において、トラクタ走行輪の走行跡の倒伏した草の刈残しを解消した草刈作業機を提供する。【解決手段】草刈作業部２０の前方且つ前記トラクタ１の走行輪１０後方位置に草引起し手段３が設けられていて、草引起し手段３は、進行方向に対し交差する方向に回転軸３５を有する草引起しローラ３０を備え、草引起しローラ３０には、回転軸３５に対し放射状に複数の草引き起こし部材３１が備えられていて、トラクタ１の進行速度より速い速度で回転して草を引き起こすことを特徴とした草刈作業機による。【選択図】      図１
2018082673.tif 000002
【特許請求の範囲】
【請求項１】
トラクタ後方に装着されて草刈作業を行なう草刈作業機において、
草刈作業部の前方且つ前記トラクタの走行輪後方位置に草引起し手段が設けられていて、
該草引起し手段は、進行方向に対し交差する方向に回転軸を有する草引起しローラを備え、該草引起しローラには、回転軸に対し放射状に複数の草引き起こし部材が備えられていて、前記トラクタの進行速度より速い速度で回転して草を引き起こすことを特徴とした草刈作業機。
【請求項２】
前記草引起しローラは、地面に接地して前記トラクタの走行に伴い自転する駆動輪からの動力で回転することを特徴とした請求項１に記載の草刈作業機。
【発明の詳細な説明】
【技術分野】
【０００１】
本発明は、トラクタに装着されトラクタの後方に草刈作業部を位置させ草刈作業を行なう草刈作業機に関する。
【背景技術】
【０００２】
従来の草刈作業機の構成として、例えば、同一出願人による実開昭６０−１３３７３９号公報「農用トラクタに連結する草刈機」（特許文献１）、また、特開２００９−２７３３９０号公報「草刈作業機」（特許文献２）が開示されている。特許文献１による草刈機は、トラクタ後方に装着され、垂下する２個の刈取部材を設け、刈取刃が水平回転して草刈作業が行われるものである。
【０００３】
また、特許文献２の草刈作業機は、走行車であるトラクタの後部に連結され、トラクタの走行により圃場や牧場等で前方に移動しながら草刈作業をするフレールモアが開示されている。
【先行技術文献】
【特許文献】
【０００４】
【特許文献１】実開昭６０−１３３７３９号公報
【特許文献２】特開２００９−２７３３９０号公報
【発明の概要】
【発明が解決しようとする課題】
【０００５】
トラクタ等の走行機の後方に装着されて作業を行なう草刈作業機の場合、前進することによって走行機の走行輪によって刈り取られるべき草が前方に押し倒されて、倒伏した状態となり、後方に位置する草刈作業部での刈取において刈残しが発生するという問題があった。従来の特許文献１や特許文献２に示された草刈作業機においては、このような問題を解決するには至っていない。
【０００６】
このことから本発明の目的は、トラクタ等の走行機の後方に装着されて草刈作業を行なう草刈作業機において、トラクタ走行輪の走行跡の倒伏した草の刈残しを解消した草刈作業機を提供することにある。
【課題を解決するための手段】
【０００７】
上記課題を解決するために、請求項１に記載の発明は、トラクタ後方に装着されて草刈作業を行なう草刈作業機において、
草刈作業部の前方且つ前記トラクタの走行輪後方位置に草引起し手段が設けられていて、
該草引起し手段は、進行方向に対し交差する方向に回転軸を有する草引起しローラを備え、該草引起しローラには、回転軸に対し放射状に複数の草引き起こし部材が備えられていて、トラクタの進行速度より速い速度で回転して草を引き起こすことを特徴とした草刈作業機を提案する。
【０００８】
上記課題を解決するために、請求項２に記載の発明は、前記草引起しローラは、地面に接地して前記トラクタの走行に伴い自転する駆動輪からの動力で回転することを特徴とした請求項１に記載の草刈作業機を提案したものである。
【発明の効果】
【０００９】
この発明によれば、草刈作業部の前方且つトラクタの走行輪後方に位置させて設けた草引起し手段によって、トラクタ走行輪によって倒伏した草を引き起こすため、後方に位置する草刈作業部での刈残しが解消される。
【図面の簡単な説明】
【００１０】
【図１】本発明の実施例の草刈作業機の一部断面した側面図である。
【図２】本発明の実施例の草刈作業機の平面図である。
【図３】本発明の別実施例の草刈作業機の側面図である。
【図４】本発明の別実施例の草刈作業機の平面図である。
【発明を実施するための形態】
【００１１】
実施の一形態を、図１及び図２に基づいて説明する。図１は本発明の実施例の草刈機の一部断面した側面図、図２は同じく平面図を示したものである。本例の説明においては、図１、図２の左側を作業進行方向前方側として説明する。
【００１２】
本例における草刈作業機の草刈作業部は、進行方向と直交する水平回転軸に多数の草刈用刈刃を放射状に設け草刈りを行うフレールモアの場合について説明を行う。本願発明は、水平回転する刈刃を有する草刈作業機についても適用できる。
【００１３】
草刈作業部２０の前方側には、走行機であるトラクタ１に装着するための装着部が設けられている。トラクタ１側には作業機装着用の３点リンク機構が後方に設けられていて、装着された作業機を昇降自在に連結することができる。３点リンク機構は、上方中央部にトップリンク１２が上下回動自在に、下方には左右一対のロアリンク１１が上下回動自在に設けられている。トップリンク１２及びロアリンク１１の後端部にそれぞれ連結される連結枠であるクイックヒッチ１５を介して草刈作業機２は装着される。
【００１４】
クイックヒッチ１５は、中央上方部をトップリンク１２とトップリンクピン１４により連結し、下方の左右をロアリンクピン１３によってロアリンク１１に連結し３点リンク機構に取付けられる。クイックヒッチ１５の上方中央部には、上方に開口したフック１５１が後方側に設けられ、フック１５１は草刈作業部２側の中央部上方位置に水平に設けられたトップピン１６に係合される。また、下方側の左右部には草刈作業部２側に設けた水平方向のロワピン１７、１７に係合するための後方側に解放したＵ字状の溝部と、係合したロワピン１７、１７の抜けを阻止する回動フック１５０、１５０が設けられている。
【００１５】
トラクタ１と草刈作業機２との連結は、トラクタ１側に取付けたクイックヒッチ１５のフック１５１を草刈作業機２側のトップピン１６に下方から掬い上げるように係合させると、下方側のロアピン１７、１７がクイックヒッチ１５側に引き寄せられ、Ｕ字状の溝部に係合される。そして、回動フック１５０、１５０で抜け止めを行い連結が行われる。連結を解除するときは、逆の順序で、回動フック１５０、１５０を解除し、草刈作業機２を地上面に下すと、ロアピン１７、１７が後方に離れ、さらにトップピン１６がフック１５１から離間して連結が解除される。
【００１６】
草刈作業機２中央前方部には、入力ケース２５が設けられ入力軸（図示せず）が前方側に突設されている。入力軸は、トラクタ１側のＰＴＯ軸とユニバーサルジョイント５によって連結され、トラクタ１側から動力が入力される。入力された動力は、入力ケース２５内のベベルギヤによって方向が変換され、左右水平に設けたパイプフレーム２６内に挿通された出力軸によって、本例における進行方向左側端に設けた伝動ケース２７に伝達される。伝動ケース２７内には出力軸とその下方の刈刃軸２００の端部に設けたＶプーリがそれぞれ固着されて設けられていて、Ｖプーリに架け渡されたＶベルトによって動力が刈刃軸２００に伝達され回転される。
【００１７】
刈刃軸２００は、進行方向と直交する水平軸で、放射状に軸方向に多数刈刃２０１が設けられている。本例における刈刃軸２００は、進行方向に対し掬い上げるように回転して草刈作業が行われる。刈刃軸２００は、伝動ケース２７側と他方の側板２８側を軸受によって保持されて回転自在であり、上方部は飛散防止用の刈刃軸カバー２９で覆われている。
【００１８】
草刈作業部２０の後方には、草刈作業部２０の地上面からの高さを調整して草刈高さを調整するゲージ輪２１が左右一対設けられている。ゲージ輪２１、２１の高さ調整は、ゲージ輪２１、２１が保持されているゲージ輪フレーム２３を上下回動自在に草刈作業部２０側に連結して設け、同じく草刈作業部２０側の上方部に前方側の一端を上下回動自在に設けた高さ調整ロッド２４の後端部をゲージ輪フレーム２３に上下回動自在に連結し、高さ調整ロッド２４を伸縮して行う。高さ調整ロッド２４は、雄雌のネジが螺合されて内挿されていて、前端部に設けたハンドル２２を回転するとネジ部が進退して伸縮が行われる。ハンドル２２を回転させ高さ調整ロッド２４を伸ばすと、ゲージ輪２１、２１が取付けられたゲージ輪フレーム２３が下方に回動して、草刈作業部２０が地上面に対し上昇し刈高さが高くなる。逆に、高さ調整ロッド２４を縮めると刈高さが低くなる。ゲージ輪２１、２１は、水平方向の回転軸に回転自在に設けられるとともに、回転軸より偏心した垂直方向の水平回転軸により保持され、キャスター輪状に設けられている。
【００１９】
草刈作業部２０の前方位置、且つ、トラクタ１の走行輪１０後方部には、トラクタ走行輪１０によって倒伏した草の引起しを行うための草引起し手段３が左右一対設けられている。左右の草引起し手段３、３は、左右対称となっているので一方の草引起し手段について説明する。草引起し手段３、３は、パイプフレーム２６の前方に平行に設けた角パイプで構成される連結フレーム３６にスライドブラケット３９によって取付けられ保持されている。スライドブラケット３９は連結フレーム３６を挟み込むように締結して設けられる。連結フレーム３６は、伝動ケース２７側と他方の側板２８側とに架け渡されて設けられている。スライドブラケット３９の締結を緩めて連結フレーム３６への取付け位置を変更することで左右の位置調整が可能となっていて、装着されるトラクタ１の走行輪１０の位置に合わせて調整が可能である。
【００２０】
草引起し手段３は、進行方向に対し交差する方向に回転軸３５を有する草引起しローラ３０と、草引起しローラ３０の側方に位置して設けられる駆動輪３２と、該駆動輪３２と草引起しローラ３０を連結するチェーンケース３３と、草引起しローラ３０部と駆動輪３２部を保持して草刈作業部２０側に保持させるための第１サポートアーム３４と第２サポートアーム３８で構成される。
【００２１】
草引起しローラ３０は、回転軸３５に対し同心の円筒が設けられ、円筒外周に放射状に複数の草引き起こし部材３１が備えられていて、装着されたトラクタ１の進行速度より速い速度で回転して草を引き起こす。草引き起こし部材３１は、線材の弾性部材で構成されていて、草引起しローラ３０の円筒外周に放射状に取付けられブラシ状になっている。本例においては、草引き起こし部材３１は樹脂材等の弾性部材で構成されている。
【００２２】
草引起しローラ３０の側方に位置して設けられる駆動輪３２は、草引起しローラ３０の回転軸３５と平行に設けた回転軸に取付けられた円筒状となっていて、円筒状外周に複数の棒状の突起３２０が放射状に備えられている。突起３２０は、当接する地上面に刺さり込み、トラクタ１の進行に伴い駆動輪３２は回転する。駆動輪３２と草引起しローラ３０はチェーンケース３３によって連結されていて、内挿されるローラチェーン（図示なし）によって駆動輪３２の回転は草引起しローラ３０に伝動される。草引起しローラ３０の回転速度は、装着されたトラクタ１の進行速度より速い速度で回転するようにチェーンケース３３内のローラチェーンが架け渡されるスプロケットの歯数を設定する。
【００２３】
草引起しローラ３０部と駆動輪３２部を保持して草刈作業部２０側に保持させるための第１サポートアーム３４と第２サポートアーム３８が設けられている。第１サポートアーム３４は、草引起しローラ３０部回転軸３５を保持して斜め後方の上方側に向け延設されたパイプ状の部材で構成され、草引起しローラ３０を挟んで左右一対設けられ、それぞれ上方側を草刈作業部２０側の前記スライドブラケット３９に軸方向摺動自在に保持される。第１サポートアーム３４には草刈作業部２０側と草引起しローラ３０部側との間にスプリング３７が挿入され、草引起しローラ３０部が下方に付勢された状態となっていて、草引起しローラ３０部が地上面の凹凸に合わせて追従できる構造となっている。第１サポートアーム３４の上端部は左右に架け渡した連結板４１によってそれぞれ連結されている。また、第２サポートアーム３８は、丸パイプ材で構成されていてチェーンケース３３の駆動輪３２側に一端を連結し、他端を前記スライドブラケット３９に軸方向摺動自在に前記第１サポートアーム３４より下方側に保持されている。第２サポートアーム３８には、スライドブラケット３９とチェーンケース３３との間にスプリング４０が挿入され駆動輪３２側が下方に付勢された状態となっている。トラクタ１が進行すると、地上面に当接している駆動輪３２が回転し、チェーンケース３３内のローラチェーンによって回転力が草引起しローラ３０に伝達され走行速度より速い速度で回転して、草引起し部材３１が前方に倒伏した草を後方側に掻き上げて立たせる。掻き上げられた草は、直後に位置する刈刃２０１によって刈り取られる。草引起しローラ３０は、進行方向に対し直交する回転軸によって回転するのみならず、平面視傾斜した状態で回転させてもよい。
【００２４】
図３と図４において草引起し手段の別実施例の草刈作業機の一形態を説明する。図３は本発明の実施例の草刈機の一部断面した側面図、図４は同じく平面図を示したものである。本例の説明においては、図３、図４の左側を作業進行方向前方側として説明する。また、前記の草引起し手段と同一の部品については、同一の符号で示す。
【００２５】
別実施例の草引起し手段３´は、草刈作業部２０の前方位置、且つ、トラクタ１の走行輪１０後方部に左右一対設けられている。左右の草引起し手段３´、３´は、左右対称となっているので一方の草引起し手段について説明する。草引起し手段３´、３´は、パイプフレーム２６の前方に平行に設けた角パイプで構成される連結フレーム３６にスライドブラケット３９によって取付けられ保持されている。スライドブラケット３９は連結フレーム３６を挟み込むように締結して設けられる。連結フレーム３６は、伝動ケース２７側と他方の側板２８側とに架け渡されて設けられている。スライドブラケット３９の締結を緩めて連結フレーム３６への取付け位置を変更することで左右の位置調整が可能となっていて、装着されるトラクタ１の走行輪１０の位置に合わせて調整が可能である。
【００２６】
草引起し手段３´は、進行方向に対し交差する方向に回転軸３５を有する草引起しローラ３０´と、草引起しローラ３０´の側方に位置して設けられる駆動輪３２と、該駆動輪３２と草引起しローラ３０を連結するチェーンケース３３と、草引起しローラ３０´部と駆動輪３２部を保持して草刈作業部２０側に保持させるための第１サポートアーム３４と第２サポートアーム３８で構成される。
【００２７】
草引起しローラ３０´は、回転軸３５に対し同心の円筒が設けられ、円筒外周に放射状に複数の草引き起こし部材３１´が備えられていて、装着されたトラクタ１の進行速度より速い速度で回転して草を引き起こす。草引き起こし部材３１´は、バネ鋼等の線材で構成されていて、草引起しローラ３０´の円筒外周に放射状に取付けられている。草引き起こし部材３１´は、基部が円筒の外周に固着され、回転軸３５を中心に放射状に取付けられ、基部側の近傍がカールされていて、地上面に当接した先端部が容易に撓めるようになっている。
【００２８】
草引起しローラ３０´の側方に位置して設けられる駆動輪３２は、草引起しローラ３０´の回転軸３５と平行に設けた回転軸に取付けられた円筒状となっていて、円筒状外周に複数の棒状の突起が放射状に備えられている。突起は、当接する地上面に刺さり込み、トラクタ１の進行に伴い駆動輪３２は回転する。駆動輪３２と草引起しローラ３０´はチェーンケース３３によって連結されていて、内挿されるローラチェーン（図示なし）によって駆動輪３２の回転は草引起しローラ３０´に伝動される。草引起しローラ３０´の回転速度は、装着されたトラクタ１の進行速度より速い速度で回転するようにチェーンケース３３内のローラチェーンが架け渡されるスプロケットの歯数を設定する。
【００２９】
草引起しローラ３０´部と駆動輪３２部を保持して草刈作業部２０側に保持させるための第１サポートアーム３４と第２サポートアーム３８が設けられている。第１サポートアーム３４は、草引起しローラ３０´部回転軸３５を保持して斜め後方の上方側に向け延設されたパイプ状の部材で構成され、草引起しローラ３０´を挟んで左右一対設けられ、それぞれ上方側を草刈作業部２０側の前記スライドブラケット３９に軸方向摺動自在に保持される。第１サポートアーム３４には草刈作業部２０側と草引起しローラ３０´部側との間にスプリング３７が挿入され、草引起しローラ３０´部が下方に付勢された状態となっていて、草引起しローラ３０´部が地上面の凹凸に合わせて追従できる構造となっている。第１サポートアーム３４の上端部は左右に架け渡した連結板４１によってそれぞれ連結されている。また、第２サポートアーム３８は、丸パイプ材で構成されていてチェーンケース３３の駆動輪３２側に一端を連結し、他端を前記スライドブラケット３９に軸方向摺動自在に前記第１サポートアーム３４より下方側に保持されている。第２サポートアーム３８には、スライドブラケット３９とチェーンケース３３との間にスプリング４０が挿入され駆動輪３２側が下方に付勢された状態となっている。トラクタ１が進行すると、地上面に当接している駆動輪３２が回転し、チェーンケース３３内のローラチェーンによって回転力が草引起しローラ３０´に伝達され走行速度より速い速度で回転して、草引起し部材３１´が前方に倒伏した草を後方側に掻き上げて立たせる。掻き上げられた草は、直後に位置する刈刃２０１によって刈り取られる。
【産業上の利用可能性】
【００３０】
この発明は、トラクタ等の走行機後方に装着されて草刈作業を行なう草刈作業機に利用できる。
【符号の説明】
【００３１】
１    トラクタ
１０  走行輪
１１  ロアリンク
１２  トップリンク
１３  ロアリンクピン
１４  トップリンクピン
１５  クイックヒッチ（連結枠）
１６  トップピン
１７  ロアピン
２    草刈作業機
２０  草刈作業部
２００  刈刃軸
２０１  刈刃
２１  ゲージ輪
２２  ハンドル
２３  ゲージ輪フレーム
２４  高さ調整ロッド
２５  入力ケース
２６  パイプフレーム
２７  伝動ケース
２８  側板
２９  刈刃軸カバー
３    草引起し手段
３０  草引起しローラ
３１  円錐状回転体
３２  駆動輪
３３  チェーンケース
３４  第１サポートアーム
３５  回転軸
３６  連結フレーム
３７  スプリング
３８  第２サポートアーム
３９  スライドブラケット
４０  スプリング
４１  連結板
５    ユニバーサルジョイント
【図１】
2018082673.tif 000003
【図２】
2018082673.tif 000004
【図３】
2018082673.tif 000005
【図４】
2018082673.tif 000006